(57)【要約】【課題】寒冷地における雪への対応を図りながら原子力関連施設等の大型現場において冬期期間中も作業できる環境に改善することで屋外での継続的建設工事を可能にする移設可能な養生装置を提供する。【解決手段】本発明による移設可能な養生装置１は、四方に配置された鋼柱４と鋼柱４を上端６で結合するトラス５とから構成される架台ユニット２と、トラスの上弦材９に対峙する重ね置き受け部材８を周辺に備えトラスの上弦材９に着脱自在に設置する屋根ユニット３とから構成し、屋根ユニット３を周辺の重ね置き受け部材８に軒樋ヒーター２０を装備したり、揚重機２１での吊り上げと移設とを可能にしている。【選択図】  図１
2004324065.tif 000002
【特許請求の範囲】
【請求項１】
四方に配置された鋼柱と該鋼柱を上端で結合するトラスから構成される架台ユニットと、該トラスの上弦材に対峙する重ね置き受け部材を周辺に備え該上弦材に着脱自在に設置される屋根ユニットとから構成される移設可能な養生装置。
【請求項２】
屋根ユニットが、周辺の重ね置き受け部材に軒樋ヒーターを装備することを特徴とする請求項１に記載の移設可能な養生装置。
【請求項３】
屋根ユニットが、揚重機での吊り上げと移設とを可能に構成されることを特徴とする請求項１又は２に記載の移設可能な養生装置。
【発明の詳細な説明】
【０００１】
【発明の属する技術分野】
本発明は移設可能な養生装置に関し、特に、寒冷地における原子力関連施設等の大型現場において、冬期期間中も屋外での建設工事を可能にするように作業環境を改善した移設可能な養生装置に関する。
【０００２】
【従来の技術】
寒冷地における原子力関連施設等の大型現場では、冬期期間中も建設工事が行われるが、冬期の１２月〜３月における降雪日は、２０〜３０日／月であってほぼ毎日雪が降っており、降雨量に換算した場合には、１ｍｍ以上の降雨日が２０日以上にもなる。従って、寒冷地における屋外での作業環境は極端に厳しく劣悪になり、特に、強い風が吹き付けられると体感温度が急激に低下して、作業に支障をきたすことになる。
【０００３】
さらに、降雪があると配筋の間に雪が積って氷状になることから、融解または除雪をしなければコンクリートの打設ができな＜なるという困難な問題を提起していた。
従来から、建築構造物、土木構造物等の作業現場等では、雨天時にも工事が進行できるように作業現場の環境を保持して作業性を向上させるために、簡易な防風足場を構築したいという要求が非常に多く、各種の屋根構造が提案されている。
【０００４】
例えば、構造物の上部に取り付けられる防風足場として、構造物の上部に水平に対向配置される一対の支持梁とこの支持梁間に設けられた架設屋根テントとを備えた複数のユニット屋根を備えて置き、構造物の上部にこれらのユニット屋根を互いに隣接するよう並べて配設して、配設された各ユニット屋根の空間にはこれを覆う補助テントを設けていると共に、一対の支持梁には、支持梁の長さ方向に配置された２本のガイドレールとこれに沿って走行する開閉用トロリーとを設けており、屋根テントを開閉用トロリー間に配して支持梁の間に開閉可能に設けて、雨天時には支持梁間に設けられた架設屋根テントを閉鎖することで工事が進行できるように作業現場の環境を保持して作業性を向上させている。（例えば、特許文献１を参照）
【０００５】
【特許文献１】
特開平８−１４４５３５号公報、（段落符号「０００３」〜「０００５」末行、「０００７」〜「０００９」末行、図１、２）
【０００６】
しかるに、上記例では、寒冷地の雪への対応と原子力関連施設等の大型現場において屋外での建設工事を継続的にして冬期期間中も作業できる環境に改善することは不可能である。
【０００７】
【発明が解決しようとする課題】
本発明は、上記の状況に鑑みて提案するものであり、寒冷地における雪への対応を図りながら原子力関連施設等の大型現場において冬期期間中も作業できる環境に改善することで屋外での継続的建設工事を可能にする移設可能な養生装置の提供を目的にしている。
【０００８】
【課題を解決するための手段】
本発明による移設可能な養生装置は、四方に配置された鋼柱と該鋼柱を上端で結合するトラスから構成される架台ユニットと、トラスの上弦材に対峙する重ね置き受け部材を周辺に備え上弦材に着脱自在に設置する屋根ユニットとから構成することを基本にし、屋根ユニットを周辺の重ね置き受け部材に軒樋ヒーターを装備したり、揚重機での吊り上げと移設とを可能に構成することを特徴としている。これによって、寒冷地における雪への対応を図ると同時に、原子力関連施設等の大型現場においても冬期期間中に作業できる環境に改善することで、屋外での継続的建設工事を可能にしている。
【０００９】
【発明の実施の形態】
本発明による移設可能な養生装置は、四方に配置された鋼柱と該鋼柱を上端で結合するトラスから構成される架台ユニットと、トラスの上弦材に対峙する重ね置き受け部材を周辺に備え上弦材に着脱自在に設置し、周辺の重ね置き受け部材に軒樋ヒーターを装備したり、揚重機での吊り上げと移設とを可能に構成する屋根ユニットとから構成している。
以下に、本発明による移設可能な養生装置の実施形態を図面に基づいて詳細に説明する。
【００１０】
図１は、本発明による移設可能な養生装置の実施の形態を示す斜視図である。本実施の形態の移設可能な養生装置１は、架台ユニット２と架台ユニット２の上に着脱自在に設置されている屋根ユニット３とから一体に構成されており、架台ユニット２は、四方に配置されたＨ型鋼もしくは角形鋼管等から成る４本の鋼柱４をトラス５で上端部６を相互に結合している。そして、屋根ユニット３は、中央部に尖り状の屋根シート７が配置されており、屋根シート７は周辺に備えている重ね置き受け部材８に装着されているので、屋根ユニット３は、屋根シートと７重ね置き受け部材８とを一体にして移設させることができる。
【００１１】
架台ユニット２と屋根ユニット３の詳細については、図１を（２）−（２）矢視した図２の断面図で説明する。
架台ユニット２を構成しているトラス５は、下弦材、ラチス材及びＨ形鋼から成る上弦材９から構成されており、上弦材９の上面フランジ１０には、所定数の通孔１１が形成されている。通孔１１には、屋根ユニット３の取付けボルト１２が配置されるものであり、架台ユニット２と屋根ユニット３とを取付けボルト１２で一体に螺着している。
【００１２】
屋根ユニット３の重ね置き受け部材８は、屋根シート７の下端部１３を固定しており、架台ユニット２の上弦材９に対峙させた形態で屋根ユニット３と一体に配置されるＨ形鋼から構成されている。Ｈ形鋼のウエブ部分１４には、支持パイプ１５が配置されて屋根シート７の下端部１３が固着されており、上下のフランジ１６には、上弦材９の上面フランジ１０に対応する所定数の通孔１７が形成されている。
【００１３】
通孔１７は、架台ユニット２との取付けボルト１２が配置されるが、取付けボルト１２を開放させた場合には、架台ユニット２と屋根ユニット３とを分離させて屋根ユニット３を他の架台ユニット２に移設することを可能にしている。
【００１４】
Ｈ形鋼のウエブ部分１４の外側には、軒樋１８が屋根シート７からの雨水を受けるように配置されており、水抜きパイプ１９によって一旦内部側に導いた後、外部に排水できるように構成されている。
【００１５】
又、軒樋１８の内側には、軒樋ヒーター２０を配置しておくことで屋根シート７からの雨水が氷状に固まるのを防止しており、屋根シート７の内側に配置した温風ヒーターからの送風で昇温させることによって融雪させながら形成される雨水を確実に導いている。
【００１６】
図３、４は、本発明による移設可能な養生装置を大型現場において使用する状態を示しており、図３は平面図、図４は図３の平面図を（４）−（４）矢視した断面図である。
【００１７】
原子力発電所・再処理施設等の大現場では、コンクリート打設量が非常に大きいために平面的にも打設区画を設定して高さ方向と共に段階的に建設が行われている。又、膨大な建設資材の搬入が必要であるためにタワークレーン等の揚重機２１を有効に使えることが必要であり、図３の平面図が示すように建家コンクリート躯体２２の全側面を建家外部足場２３と先行立ち上げ防風シート２４とから構成されている移動可能防風足場２５で囲っている。
【００１８】
又、建家コンクリート躯体２２の上面には、コンクリート打設区画を考慮しながら揚重機２１の設置区画２６を除いて、電気温風ヒーターが付いた複数個の移設可能な養生装置１を設置している。揚重機２１による荷取り時においては、１段下の荷取り作業区画２７のように屋根ユニット３を架台ユニット２から分離させて、揚重機２１によって吊り上げながら屋根ユニット３−１を他の移設可能な養生装置１の上に一時的に重ね置き３−２することによって整理するものであり、荷取り作業を効率的に行える体制を形成している。
【００１９】
図４に示す断面図では、段差のある建家コンクリート躯体２２の側面に配置されている移動可能防風足場２５の形態と揚重機２１及び移設可能な養生装置１の設置形態を明らかにしている。
揚重機２１は、屋根ユニット３を一時的に撤去している設置区画２６に設置されており、揚重機２１には屋根ユニットを取り除いている設置区画２６に雪や雨をできるだけ降下させないように脚部スカート２８を設けている。
【００２０】
荷取り作業区画２７から揚重機２１によって吊り上げられた屋根ユニット３−１は、想像線で示すように上段に配置されている移設可能な養生装置１の上に一時的に重ね置き３−２するものであるが、その作業工程は、既に配置されている移設可能な養生装置１の屋根ユニット３を構成している重ね置き受け部材８の上に、吊り上げられて来る屋根ユニット３−１の重ね置き受け部材８を重ね置き３−２して、屋根ユニット３の上フランジ１６に形成されている通孔１７と屋根ユニット３−１の下フランジ１６に形成されている通孔１７とを一致させながら取付けボルト１２によって一体に螺着するものである。
【００２１】
本発明による移設可能な養生装置を適用している原子力発電所・再処理施設等の大現場では、建家コンクリート躯体の上面に移設可能な養生装置を全面に配置すると共に、揚重機の設置区画と荷取り作業区画においては、移設可能な養生装置の架台ユニットから屋根ユニットを分離させられて他の位置の移設可能な養生装置の上に一時的に重ね置きすることで、全体の作業工程を効率良く円滑にしている。
【００２２】
尚、揚重機２１と移動可能防風足場２５とは、躯体工事の進捗状況に応じて別の区画に移設しながら施工できるものであり、揚重能力が可能な場合には揚重機２１を移動可能防風足場２５の外側に設置することも可能である。
【００２３】
以上のように、本発明による移設可能な養生装置は、実施の形態で説明したように構成されているので、冬期に施工養生を行うことによって現場の作業環境を改善しており、極低温時、積雪、降雨時においても快適な現場作業を可能にすると共に、従来から問題になっていた床ハッチ用開口、施工用仮設床開口等からの雨漏れ、水漏れの防止も可能になることから、冬期時の雨天、積雪による現場作業が不可能であった期間も施工できるので工程の短縮が可能となり、建築作業以外にも配管・配線等の機電側作業の環境も改善され、工期短縮に寄与することができる。
【００２４】
以上、本発明を実施の形態に基づいて詳細に説明してきたが、本発明による移設可能な養生装置は、上記実施の形態に何ら限定されるものでなく、本発明の趣旨を逸脱しない範囲において、出願時において既に公知のものを適用することによる種々の変更が可能であることは、当然のことである。
【００２５】
【発明の効果】
本発明による移設可能な養生装置は、四方に配置された鋼柱と該鋼柱を上端で結合するトラスから構成される架台ユニットと、トラスの上弦材に対峙する重ね置き受け部材を周辺に備え上弦材に着脱自在に設置する屋根ユニットとから構成し、屋根ユニットを周辺の重ね置き受け部材に軒樋ヒーターを装備したり、揚重機での吊り上げと移設とを可能に構成することを特徴としているので、下記のような具体的な効果を奏しながら寒冷地における雪への対応を図ると同時に、大型現場においても冬期期間中に作業できる環境を改善して屋外での継続的建設工事を可能にする効果を発揮している。
【００２６】
▲１▼  冬期に施工養生を行って現場の作業環境を改善する。
▲２▼  極低温時、積雪、降雨時においても快適な現場作業を可能にする。
▲３▼  冬期時の雨天、積雪によって現場作業が不可能であった期間も施工できるので工程を短縮できる。
▲４▼  床ハッチ用開口、施工用仮設床開口等からの雨漏れ、水漏れを防止する。
▲５▼  配管・配線等の機電側作業の環境も改善して工期の短縮に寄与する。
【図面の簡単な説明】
【図１】本発明による移設可能な養生装置の実施形態を示す斜視図
【図２】図１を（２）−（２）矢視した移設可能な養生装置の部分断面図
【図３】本発明による移設可能な養生装置を使用する状態の平面図、
【図４】図３を（４）−（４）矢視した使用状態の断面図
【符号の説明】
１  移設可能な養生装置、  ２  架台ユニット、
３、３−１  屋根ユニット、  ３−２  重ね置き、  ４  鋼柱、
５  トラス、  ６  上端部、  ７  屋根シート、  ８  重ね置き受け部材、
９  上弦材、  １０  上面フランジ、  １１、１７  通孔、
１２  取付けボルト、  １３  下端部、  １４  ウエブ部分、
１５  支持パイプ、  １６  フランジ、  １８  軒樋、
１９  水抜きパイプ、  ２０  軒樋ヒーター、  ２１  揚重機、
２２  建家コンクリート躯体、  ２３  建家外部足場、  ２４  防風シート、
２５  移動可能防風足場、  ２６  揚重機の設置区画、
２７  荷取り作業区画、  ２８  脚部スカート、
【図１】
2004324065.tif 000003
【図２】
2004324065.tif 000004
【図３】
2004324065.tif 000005
【図４】
2004324065.tif 000006